(57)【要約】【課題】ステップ運動器において、踵の踏込み運動以外にも、つま先での踏み込み運動も可能とする。【解決手段】床面に載置される基台２と、該基台に搭載され左右一対の踏み板５、５をその一端側寄りを中心に上下方向に傾動可能に具えたユニット部３とからなるステップ運動器において、ユニット部３は、基台２に対して回転可能に配備され、ユニット部３と基台２には、ユニット部３が基準の向きから180°向きを変えた状態でロック可能なロック手段が設けられている。ユニット部３が基準の向きの場合、踏み板５を踵で踏み込むことができ、ユニット部３を180°向きを変えると、踏み板５をつま先で踏み込むことができる。【選択図】図１
2010075633.tif 000002
【特許請求の範囲】
【請求項１】
床面に載置される基台(２)と、該基台(２)に搭載され左右一対の踏み板(５)(５)をその一端側寄りを中心に上下方向に傾動可能に具えたユニット部(３)とからなるステップ運動器において、
ユニット部(３)は、基台(２)に対して回転可能に配備され、
ユニット部(３)と基台(２)には、ユニット部(３)が基準の向きから所定の角度回転して向きを変えた状態でロック可能なロック手段が設けられている、ステップ運動器。
【請求項２】
床面に載置される基台(２)と、該基台(２)に搭載され左右一対の踏み板(５)(５)をその一端側寄りを中心に上下方向に傾動可能に具えたユニット部(３)とからなるステップ運動器において、
ユニット部(３)は、基台(２)に対して回転可能なベースプレート(７)上に、該ベースプレート(７)に対して所定角度範囲で左右に回転可能に配備され、該ユニット部(３)の回転中心軸Ｐは一対の踏み板(５)(５)間の略中間に位置し、
基台(２)とベースプレート(７)には、該ベースプレートが基準の向きから所定の角度回転して向きを変えた状態でロック可能なロック手段(８)が設けられている、ステップ運動器。
【請求項３】
ロック手段(８)は、基台(２)又はベースプレート(７)との何れか一方に、ベースプレート(７)の回転中心を半径中心とする仮想円上に等間隔に凹部(72)を形成し、他方に該凹部(72)に挿脱可能に凸部(82)を設け、凸部(82)を凹部(72)に係合してベースプレート(７)のロックを行う、請求項２に記載のステップ運動器。
【請求項４】
基台(２)とベースプレート(７)に、ベースプレート(７)が基準の向きから略１８０°回転したときに互いに衝突する第１当り片(９)と第２当り片(90)を設け、一方の当り片は、他方の当り片との衝突方向に動き得る余裕の有る状態に支持され、且つ両側からのバネ付勢によって中立位置に保持されている、請求項２又は３に記載のステップ運動器。
【請求項５】
床面に載置される基台(２)と、該基台に搭載され左右一対の踏み板(５)(５)をその一端側寄りを中心に上下方向に傾動可能に具えたユニット部(３)とからなるステップ運動器において、
基台(２)とユニット部(３)との間には、ユニット部(３)を傾斜させて、踏み板(５)(５)の踵側からつま先側への傾斜角度を調整できる傾動駆動装置(４)を具えた、ステップ運動器。
【請求項６】
ユニット部(３)には、踏み板(５)(５)を強制的に踏込み方向に駆動してから、元位置に戻し、且つ踏み板(５)(５)の動作に連動してユニット部(３)を往復回転させる駆動メカニズム(31)を具えている、請求項２乃至５の何れかに記載のステップ運動器。
【請求項７】
基台(２)には、ハンドル部(６)を具えたハンドルポスト(61)が上向きに突設されている請求項１乃至６の何れかに記載のステップ運動器。
【発明の詳細な説明】
【技術分野】
【０００１】
本発明は、ステップ運動器において、踵の踏込み運動以外にも、つま先側の踏み込み運動も可能なステップ運動器に関する。
【背景技術】
【０００２】
使用者の足を左右一対の踏み板に載せ、踏み板を自力で、或いはモータ駆動で交互に傾動させることにより、踏込み運動をすることができるステップ運動器が知られている(例えば、特許文献１参照)。
ステップ運動器の踏み板を踵側がつま先よりも高く傾斜した状態から踵側がつま先より若干低くなるまで踵側を踏み込んで、主に踵側を踏み込む運動を行うようになっている。
【０００３】
【特許文献１】特開２００４−３５８０５８号公報
【発明の開示】
【発明が解決しようとする課題】
【０００４】
上記の様に踏み板の踵側を踏み込む運動は、ジョギング運動の足の動きに近似しており、単調な運動で使用する筋肉も限定されてしまう。
本発明は、踏み板を基準の向きから変更可能とすることにより、踏込み運動にバリエーションを持たせて、ストレッチ運動効果等、既存のステップ運動器では得られなかった効果を奏するステップ運動器を明らかにするものである。
【課題を解決するための手段】
【０００５】
請求項１は、床面に載置される基台(２)と、該基台(２)に搭載され左右一対の踏み板(５)(５)をその一端側寄りを中心に上下方向に傾動可能に具えたユニット部(３)とからなるステップ運動器において、
ユニット部(３)は、基台(２)に対して回転可能に配備され、
ユニット部(３)と基台(２)には、ユニット部(３)が基準の向きから所定の角度回転して向きを変えた状態でロック可能なロック手段が設けられている。
【０００６】
請求項２は、床面に載置される基台(２)と、該基台(２)に搭載され左右一対の踏み板(５)(５)をその一端側寄りを中心に上下方向に傾動可能に具えたユニット部(３)とからなるステップ運動器において、
ユニット部(３)は、基台(２)に対して回転可能なベースプレート(７)上に、該ベースプレート(７)に対して所定角度範囲で左右に回転可能に配備され、該ユニット部(３)の回転中心軸Ｐは一対の踏み板(５)(５)間の略中間に位置し、
基台(２)とベースプレート(７)には、該ベースプレートが基準の向きから所定の角度回転して向きを変えた状態でロック可能なロック手段(８)が設けられている。
【０００７】
請求項３は請求項２に記載のステップ運動器において、ロック手段(８)は、基台(２)又はベースプレート(７)との何れか一方に、ベースプレート(７)の回転中心を半径中心とする仮想円上に等間隔に凹部(72)を形成し、他方に該凹部(72)に挿脱可能に凸部(82)を設け、凸部(82)を凹部(72)に係合してベースプレート(７)のロックを行う。
【０００８】
請求項４は請求項２又は３に記載のステップ運動器は、基台(２)とベースプレート(７)に、ベースプレート(７)が基準の向きから略１８０°回転したときに互いに衝突する第１当り片(９)と第２当り片(90)を設け、一方の当り片は、他方の当り片との衝突方向に動き得る余裕の有る状態に支持され、且つ両側からのバネ付勢によって中立位置に保持されている。
【０００９】
請求項５は、床面に載置される基台(２)と、該基台に搭載され左右一対の踏み板(５)(５)をその一端側寄りを中心に上下方向に傾動可能に具えたユニット部(３)とからなるステップ運動器において、
基台(２)とユニット部(３)との間には、ユニット部(３)を傾斜させて、踏み板(５)(５)の踵側からつま先側への傾斜角度を調整できる傾動駆動装置(４)を具えている。
【００１０】
請求項６は、請求項２乃至５の何れかに記載のステップ運動器において、ユニット部(３)には、踏み板(５)(５)を強制的に踏込み方向に駆動してから、元位置に戻し、且つ踏み板(５)(５)の動作に連動してユニット部(３)を往復回転させる駆動メカニズム(31)を具えている。
【００１１】
請求項７は、請求項１乃至６の何れかに記載のステップ運動器において、基台(２)には、ハンドル部(６)を具えたハンドルポスト(61)が上向きに突設されている。
【発明の効果】
【００１２】
請求項１のステップ運動器(１)は、ユニット部(３)が基準の向きにあるときは、使用者が自力で、踏み板(５)(５)を踵側で踏み込むと、ジョギング運動と同様の効果を奏する。
ユニット部(３)を基準の向きから回転させると踏み板(５)(５)の向きが変わる。例えば、ユニット部(３)を基準の向きから１８０°回転させると、踏み板(５)の向きも１８０°反転する。この状態で、使用者は、踏み板(５)の本来はつま先が載る部分に踵を載せ、踵が載る部分につま先を載せる。
使用者が自力で踏み板(５)を踏み込むと、使用者のつま先の踏込み運動となり、脛や大腿部の前側の筋肉を引っ張る様な、ジョギング運動では得にくいストレッチ効果を得ることができる。
ユニット部(３)はロック手段(８)によって向きをロックできるから、安定して踏込み運動ができる。
【００１３】
請求項２のステップ運動器は、上記踏込み運動に加えて、腰を左右に回すツイスト運動も出来、単位時間当りの運動量を多くできる。
【００１４】
請求項３のステップ運動器は、ベースプレート(７)のロックは、該ベースプレート(７)と基台(２)に設けた凹部(72)と凸部(82)の係合によるものであり、ロックの信頼性が高い。
【００１５】
請求項４のステップ運動器は、ベースプレート(７)が基準の向きから略１８０°回転したときに、ベースプレート(７)と基台(２)の、第１当り片(９)と第２当り片(90)が衝突し、一方の当り片はバネ付勢によって中立位置に保持されているから、ロック手段(８)であるベースプレート(７)と基台(２)上の凹部(72)と凸部(82)が回転方向に多少位置ズレしていても、バネ付勢による第１又は第２当り片の遊びにより、簡単且つ確実に凹部(72)と凸部(82)が係合できる。
【００１６】
請求項５のステップ運動器は、傾動駆動装置(４)によって踏み板(５)(５)の踵側からつま先側への傾斜角度を調整して、例えばつま先側が高くなるように傾斜させると、登り坂をジョギングする様な体感を得られ、運動量を多くできる。
【００１７】
請求項６のステップ運動器は、使用者が踏み板(５)(５)に載るだけで、踏み板(５)が自動的に踏込み動作をし、又、ユニット部(３)が回転動作をするから、自力で踏み板(５)を踏込むことが難しい者でも、受動的に踏込み運動及びツイスト運動ができる。
【００１８】
請求項７のステップ運動器では、使用者はハンドル部(６)を掴むことができるからも、ふらつくことなく安定した姿勢で踏込み運動、或いは踏込み運動とツイスト運動の複合運動ができる。
【発明を実施するための最良の形態】
【００１９】
本発明のステップ運動器(１)は、図１に示す如く、床面に載置される基台(２)上に、左右一対の踏み板(５)(５)を具えたユニット部(３)を回転可能に搭載している。
基台(２)は上方から見ると略楕円形を呈しており、一端にハンドルポスト(61)を立設し、ハンドルポスト(61)の上端に、踏み板(５)(５)に載った使用者が掴むことのできるハンドル部(６)(６)を有している。
【００２０】
ユニット部(３)は上から見ると円形を呈しており、上記ハンドルポスト(61)に接近して基台(２)上に位置している。
ユニット部(３)の回転中心軸Ｐは、その円中心と一致している。
ユニット部(３)上の一対の踏み板(５)は互いに、回転中心軸Ｐから等距離離れて平行に配備されている。
【００２１】
図１は、一対の踏み板(５)(５)の高さが揃っている状態を示す。
ユニット部(３)上の踏み板(５)(５)は一端側(つま先側)(51)にある回転中心軸(図示せず)を中心に、踵側が上下方向に傾動可能に構成されている。
以下の説明で、ユニット部(３)の「基準の向き」とは、踏み板(５)のつま先側(51)がハンドルポスト(61)側に位置し、両踏み板(５)(５)の中間を通る仮想線Ｌがハンドルポスト(61)の幅中心に向く状態である。
【００２２】
図６に示す如く、ユニット部(３)は、合成樹脂製の外ケース(30)を有し、下部に円形のベースプレート(７)を具えており、該ベースプレート(７)の中心に下向きに突設した回転支持軸(70)を基台(２)上に設けた受プレート(21)に回転可能に支持せしめている。
ベースプレート(７)の下面外周寄りには、回転支持軸(70)と同心に環状の樹脂プレート(71)を装着し、該樹脂プレート(71)を受プレート(21)に摺接している。
【００２３】
基準の向きのユニット部(３)において、外ケース(30)の上面は、ハンドルポスト(61)側が少し高く傾斜している。
外ケース(30)に開設した２つの平行長孔(31)(31)に前記踏み板(５)(５)が出没可能に嵌まっている。
外ケース(30)に隠れて、前記ベースプレート(７)上に踏み板(５)の駆動メカニズム(31)が配備されている。
【００２４】
駆動メカニズム(31)は、公知の如く、２つの踏み板(５)(５)をつま先側(51)を中心に踵側を上下方向に交互に揺動させねの高位側(52)が低位側(51)よりも低くなる様に、交互に駆動し、且つ踏み板(５)の高低動作に連動して、ベースプレート(７)に対して、踏み板(５)が前記ベースプレート(７)の回転中心軸Ｐを中心に左右に所定の角度、実施例では約１５°自動的に回転させるものである。
即ち、実施例のステップ運動器(１)は、使用者が自力で踏み板(５)を踏み込んだり、ユニット部(３)を自力で回転させたりする必要のない、受動型のステップ運動器である。
駆動メカニズム(31)は、ユニット部(３)の向きを変えた位置を基準点として、該基準点を中心に、ベースプレート(７)に対してユニット部(３)を回転運動(ツイスト運動)が可能としている。
【００２５】
前記ベースプレート(７)と受プレート(21)には、ユニット部(３)(ベースプレート(７)としても同じ)が基準の向きから、右或いは左に所定の角度回転した位置でベースプレート(７)をロックするロック手段(８)が配備される。
ロック手段(８)は、図６、図７に示す如く、ベースプレート(７)に、前記回転中心軸Ｐを半径中心とする仮想円上に等間隔に設けた凹部(72)と、受プレート(21)に設けられ該凹部(72)に係脱可能な凸部(82)から成る。
凹部(72)はベースプレート(７)を貫通する孔(73)であり、凸部(82)は該孔(73)に嵌合可能な軸体(83)であり先端は球面、テーパ面等の案内面に形成されている。
実施例では、前記樹脂プレート(71)は、ベースプレート(７)の孔列に重なる位置にあるので、樹脂プレート(71)にもベースプレート(７)の孔(73)に一致する孔が周方向に等間隔に開設されている。
【００２６】
軸体(83)は、基端に抜止め用のフラジ(84)を具えると共に、コントロールケーブル(87)のインナーケーブル(85)の一端に繋がっている。
軸体(83)のフランジ(84)は受プレート(21)の下面に設けた取付けケース(81)にスライド可能に配備され、バネ(88)によって、軸体(83)を飛び出し方向に付勢している。
コントロールケーブル(87)のアウターケーブル(86)の一端は取付けケース(81)に固定されている。
コントロールケーブル(87)の他端側は、前記ハンドルポスト(61)内を通ってハンドル部(６)側に引き出され、レバー(図示せず)の操作によって、バネ(88)に抗して、軸体(83)を取付けケース(81)側に引っ込めることができる。
【００２７】
図６、図７に示す如く、基台(２)側の受プレート(21)と、ユニット部(３)側のベースプレート(７)には、ユニット部(３)、即ち、受プレート(21)が基準の向きから略１８０°回転したときに、互いに衝突する第１当り片(９)と第２当り片(90)が設けられる。
【００２８】
第１当り片(９)は受プレート(21)上にて、ユニット部(３)の回転支持軸(70)に対してハンドルポスト(61)の反対側位置にて上向きに突設されている。
第２当り片(90)は、ベースプレート(７)が基準の方向に向いている状態において、回転支持軸(70)に対して第１当り片(９)とは１８０°対称位置に配備されている。
【００２９】
第２当り片(90)は、ベースプレート(７)に上向きに突設した２つのブラケット板(91)(91)にスライド可能に跨って配備した支え軸(92)の中央部に設けられ、ブラケット板(91)(91)間にて、ベースプレート(７)の表裏に貫通して開設した窓孔(76)から下方に臨出させている。両ブラケット板(91)(91)と第２当り片(90)との間には、第２当り片(90)を中立位置に付勢するバネ(93)(93)が配備されてる。
【００３０】
然して、図２に示す如く、ユニット部(３)が基準の方向を向いている状態で、踏み板(５)(５)に両足を載せて、駆動メカニズム(31)を動作させると、踏み板(５)の踵側(52)が、図３の如く、下がってから元位置に戻る。この動作を両方の踏み板(５)(５)が交互に動作を行う。即ち、一方の踏み板(５)の踵側が上がっているとき、他方の踏み板(５)の踵側は下がり、一方の踏み板(５)の踵側が下がっているとき、他方の踏み板(５)の踵側は上る。更に、ユニット部(３)が所定角度回転する運動が複合される。  即ち、使用者は、図２、３の「基準の向き」では、受動的な足踏み運動(ジョギング運動)と、ツイスト運動を同時に行うことができる。
【００３１】
図４、図５に示す如く、ユニット部(３)の向きを基準の方向がら１８０°回転させた状で、踏み板(５)の踵側(52)につま先を、つま先側(51)に踵を載せて、駆動メカニズム(31)を動作させると、使用者の受動的なつま先の踏込み運動となる。特に図４の状態になるとアキレス腱や、脛や大腿部の前側の筋肉を引っ張る様なストレッチ効果を得ることができる。
ユニット部(３)はロック手段(８)によって向きを回転することなくロックできるから、安定して踏込み運動ができる。
【００３２】
ユニット部(３)を基準の方向がら１８０°回転させるとき、ロック手段(８)のレバー操作により、コントロールケーブル(87)を介して、軸体(83)をベースプレート(７)の孔(73)から脱出さてロックを解除しておくのは勿論である。
ユニット部(３)を１８０°回転させた位置でベースプレート(７)をロックするには、受プレート(21)上の第１当り片(９)とベースプレート(７)上の第２当り片(90)が衝突したときに、レバー操作を停止して、バネ(88)で軸体(83)を飛び出し方向に付勢する。軸体(83)とベースプレート(７)の孔(73)の位置が多少ずれていても、軸体(83)の先端が案内面となっており、且つ、第２当り片(90)は中立位置にバネ付勢されて自由度があるから、ユニット部(３)を回転方向に少し揺らす様にすれば、簡単に軸体(83)を孔(73)に貫入して、ベースプレート(７)をロックできる。
第２当り片(90)は両側がらバネ(93)(93)で中立位置に付勢されているから、ユニット部(３)を右側に１８０°回転させても、左側に１８０°回転させても、上記した効果を得ることができる。
【００３３】
尚、ユニット部(３)は、上記の様に、基準位置から１８０°向きを変えることに限らず、ベースプレート(７)の仮想円状に開設した孔列の任意の孔の位置でベースプレート(７)をロックし、その位置を基準位置として、上体をひねった状態での踏込み運動とツイスト運動ができるのは勿論である。
【００３４】
図８乃至図１１は、ステップ運動器の他の実施例を示している。これは、ユニット部(３)を基準の方向に向けたまま、ユニット部(３)のハンドルポスト(61)側を持ち上げて、踏み板(５)の傾斜を急にするものである。
基台(２)とユニット部(３)との間には、ユニット部(３)を傾斜させて、踏み板(５)(５)の踵側からつま先側への傾斜角度を調整できる傾動駆動装置(４)を具えている。
傾動駆動装置(４)は、基台(２)上にスライド可能に配備した送りネジ(41)に、モータ(42)によって回転するウォームギア(44)を噛合し、送りネジ(41)の一端とユニット部(３)の自由端をリンク板(43)にて枢支連結している。
【００３５】
図８、図９に示す如く、ユニット部(３)を持ち上げない状態では、従前の平地でのジョギング運動に近い、足踏み運動ができる。
図１０、図１１に示す如く、傾動駆動装置(４)によって、ユニット部(３)のハンドルポスト(61)側を持ち上げて、踏み板(５)の傾斜を急にして、足踏み運動をすれば、登り坂をジョギングするかの様な足踏み運動を行うことができる。
【００３６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３７】
尚、本発明は、踏み板(５)の踏込の際に、ユニット部(３)が所定の角度回転可能なツイスト運動機能を省いて、踏込み運動のみ可能なステップ運動器に実施できるのは、勿論である。
【００３８】
又、実施例のロック手段(８)は、基台(２)側に凸部(82)、ユニット部(３)側に凹部(72)を設けたが、これとは逆に、基台(２)側に凹部を環状に配置し、ユニット部(３)側に該凹部に係脱可能に凸部を設けてもよい。
【００３９】
又、実施例では、第１当り片(９)と第２当り片(90)の内、ユニット部(３)側の第２当り片(90)をバネ(93)(93)によって中立位置に付勢したが、基台(２)側の第１当たり片(９)をバネによって中立位置に付勢し、可動当り片(90)を固定状態としても、前記同様の効果を奏する。
【図面の簡単な説明】
【００４０】
【図１】ステップ運動器の斜視図である。
【図２】ユニット部が基準方向を向いているステップ運動器の要部正面図である。
【図３】図２の状態から踏み板を踵で踏み込んだ状態を示す。踵側
【図４】ユニット部が基準方向から１８０°回転した状態のステップ運動器の要部正面図である。
【図５】図４の状態から踏み板をつま先で踏み込んだ状態を示す。
【図６】ロック手段と第２当り片の説明図である。
【図７】第１当り片と第２当り片の説明図である。
【図８】ユニット部が基台に対して傾動可能な他の実施例のステップ運動器の、ユニット部を傾けない状態の説明図である。
【図９】同上のステップ運動器の踏み板を踵で踏み込んだ状態の説明図である。
【図１０】図８のステップ運動器のユニット部を傾けた状態の説明図である。
【図１１】図１０の状態から踏み板を踵で踏み込んだ状態の説明図である。
【符号の説明】
【００４１】
１  ステップ運動器
２  基台
21  受プレート
３  ユニット部
31  駆動メカニズム
４  傾動駆動装置
５  踏み板
６  ハンドル部
７  ベースプレート
８  ロック手段
９  第１当り片
90  第２当り片
【図１】
2010075633.tif 000003
【図２】
2010075633.tif 000004
【図３】
2010075633.tif 000005
【図４】
2010075633.tif 000006
【図５】
2010075633.tif 000007
【図６】
2010075633.tif 000008
【図７】
2010075633.tif 000009
【図８】
2010075633.tif 000010
【図９】
2010075633.tif 000011
【図１０】
2010075633.tif 000012
【図１１】
2010075633.tif 000013